(57)【要約】      （修正有）【課題】車の運転の際に、前方や後方の景色を反射ミラーで捕捉して、正面に設置したクリアーでワイドなミラースコープに前方および後方の景色を映し出して、運転に寄与する反射ミラーを提供する。【解決手段】前方後方スコープミラー１を、車両等のインパネ類等に固定して設け、この該スコープミラーの前方表示側に反射角度を合わせて、前方視界をクリアーに反射させる、前方反射ミラー２を、車内の前面天井４に適当なる高さ位置に、固定して設ける、また後方視界を該スコープミラーの後方表示側に反射させて映し出す、後方反射ミラー３を、車内の先端天井５に固定して設ける、また後方反射ミラー３に、反射角度を合わせた、中間後方反射ミラー６を車内の後端天井７に固定して設ける、最後に中間後方反射ミラー６に反射角度を合わせた、後方の視界をクリアーに、少し広角に後方視界を映し出して反射させる、後方視界反射凸面鏡８を車両の後方天井９に固定して設ける。【選択図】図１
0003146797.tif 000002
【実用新案登録請求の範囲】
【請求項１】
前方後方スコープミラー（１）を、車両等のインパネ類（１１）等に固定して設け、この該スコープミラーの前方表示側（１０）に反射角度を合わせて、前方視界をクリアーに反射させる、前方反射ミラー（２）を、車内の前面天井（４）に適当なる高さ位置に、固定して設ける、また後方視界を該スコープミラーの後方表示側（１３）に反射させて映し出す、後方反射ミラー（３）を、車内の先端天井（５）に固定して設ける、また後方反射ミラー（３）に、反射角度を合わせた、中間後方反射ミラー（６）を車内の後端天井（７）に固定して設ける、最後に中間後方反射ミラー（６）に反射角度を合わせた、後方の視界をクリアーに、少し広角に後方視界を映し出して反射させる、後方視界反射凸面鏡（８）を車両の後方天井（９）に固定して設ける、このような特徴から成る、前方後方ミラースコープ装置。
【考案の詳細な説明】
【技術分野】
【０００１】  本考案は、車の運転の際に、前方や後方の景色を反射ミラーで捕捉して、正面に設置したクリアーでワイドな、ミラースコープに前方および後方の景色を映し出して、運転に寄与する、反射ミラーの技術に関するものである。
【背景技術】
【０００２】  このような本格的な、景色確認用の反射ミラー装置は、前例がないが、現在の車にはサイドミラー、室内バックミラー等は補助的に利用されている。
【考案の開示】
【考案が解決しようとする課題】
【０００３】  現在、車の前方の景色は直接、前方ウィンドーより目視確認で行われている。
また、車の後方の景色は、車をバックさせる時に、後ろに振り向いて直接、後方ウィンドーより目視確認している。それとサイドミラーとバックミラーの景色も併用して、目視確認をしている。特に後方の広範囲の景色を運転者が、後ろを向いて確認しながらバック運転する事は、かなりの精神的、肉体的な負担をかけることになる。しかし前方の景色をミラースコープに投影することにより、太陽光の乱反射を押さえた、クリアーな前方景色を確認する事により、見落とし部分の確認にも役立つ。また後方景色の確認は、後ろを振り返る必要がなくなり、前を向いたまま後方景色を見る事が出来る。また今後は低重心の車両や、現金搬送車や装甲車のような前方後方の視界が見にくい車両には、便利に役立つ。
本考案は、このような問題点なりを解消する為になされたものである。
【課題を解決するための手段】
【０００４】  乱反射光等をカットした、前方後方スコープミラー（１）を、車両等のインパネ類（１１）等のドラバー（１２）にとって一番見やすい位置に固定して設ける。この該スコープミラーの前方表示側（１１）に反射角度を合わせて、前方視界をクリアーに反射する、前方反射ミラー（２）を、車内の前面天井（４）に適当なる高さ位置に、固定して設ける。また後方視界を該スコープミラーの後方表示側（１３）に反射させて映し出す、後方反射ミラー（３）を、車内の先端天井（５）に固定して設ける。さらにこの後方反射ミラー（３）に反射角度を合わせた、中間後方反射ミラー（６）を車内の後端天井（７）に固定して設ける。最後に中間後方反射ミラー（６）に反射角度を合わせた、後方の視界をクリアーに、少し広角に後方視界を映し出して反射させる、後方視界反射凸面鏡（８）を車両の後方天井（９）に固定して設ける。このように、各ミラーの反射により順次、後方景色の視界や前方景色の視界が、前方後方スコープミラー（１）に映し出されるのである。
本考案は以上のような構成による、前方後方ミラースコープ装置である。
【考案の効果】
【０００５】  １．ミラーで捉えた反射景色を、乱反射を除去して捉えるので、非常にクリアーな景色を提供する。
２．後方の景色を前面に、鮮やかに映し出してくれるので、後ろを向かないでも、バック運転が容易である。
３．前方の景色もクリアーに映し出すので、前方が見えにくい車両の運転に適しており、前方を目視で確認する普通の車両運転においても、補助的以上の景色確認が出来るので、安全運転につながる。
【考案を実施するための最良の形態】
【０００６】  図２のごとく、乱反射光等をカットした、ワイド鏡面の前方後方スコープミラー（１）を、車両等のインパネ類（１１）等に設置し、ドライバー（１２）にとって、一番見えやすい位置に固定して設ける。この該スコープミラーの前方表示側（１０）に反射角度を合わせて、図１のごとく前方視界をクリアーに反射する、前方反射ミラー（２）を、車内の前面天井（４）に適当なる高さ位置に、固定して設ける。また後方視界を該スコープミラーの後方表示側（１３）に反射させて映し出す、後方反射ミラー（３）を車内の先端天井（５）に固定して設ける。さらに後方反射ミラー（３）に、反射角度を合わせた、中間後方反射ミラー（６）を車内の後端天井（７）に固定して設ける。最後に、中間後方反射ミラー（６）に反射角度を合わせた、後方の視界をクリアーに、少し広角に後方視界を映し出して反射させる、後方視界反射凸面鏡（８）を車両の後方天井（９）に固定して設ける。また、天井の無いオープンカーや２輪車にも採用出来るように、これらのミラーを縦型のアクリル支柱に収めて、インパネ等に設ける方法もある。さらに、ここに利用するミラーをベリリウムミラーにする事により、超高精度のクリアーな反射画面が得られる。
本考案は以上のような構成であり、これを使用実施するときには、【０００７】  前方後方スコープミラー（１）の前方表示側（１０）には、前方景色が映し出され、後方表示側（１３）には後方景色が映し出されているので、後方景色を確認する時に目線が瞬間的に、運転の前方目視から離れるが、同時に該スコープミラーの前方表示側（１０）の景色も確認してるので、そのまま安全に運転が続行出来る。
また、車をバックさせる時は該スコープミラーの後方表示側（１３）にクリアーに後方景色が見れるので、前を向いたままで、安全にバック運転が出来る。
【図面の簡単な説明】
【０００８】
【図１】  本考案の据付組立図である。
【図２】  本考案の運転中の説明図である。
【符号の説明】
【０００９】  １  前方後方スコープミラー
２  前方反射ミラー
３  後方反射ミラー
４  前面天井
５  先端天井
６  中間後方反射ミラー
７  後端天井
８  後方視界反射凸面鏡
９  後方天井
１０  前方表示側
１１  インパネ類
１２  ドライバー
１３  後方表示側
【図１】
0003146797.tif 000003
【図２】
0003146797.tif 000004